(57)【要約】      （修正有）【課題】リボン包装を、包装体に対して輪ゴムを掛けるような一回的な一連の動作で簡単に行えるようにするとともに、リボン包装作業の作業者によるばらつきを抑制する包装用リボンを提供する。【解決手段】包装体に掛けられる帯状の包装用リボン１１に、全体が長手方向に伸縮性を有し、且つその伸び率が１．１倍〜１．４倍である帯状織布を用い、この帯状織布に、長手方向の両端部が結び合わされて形成された装飾兼用の結び部１２と、前記包装体に対する所望のリボン掛け状態を得る少なくとも一つの環状部分１３ａを有する形態の本体部１３を形成する。【選択図】図１
0003175994.tif 000002
【実用新案登録請求の範囲】
【請求項１】
包装体に掛けられる帯状の包装用リボンであって、
当該包装用リボンの全体が長手方向に伸縮性を有し、且つその伸び率が１．１倍〜１．４倍であり、
長手方向の両端部が結び合わされて形成された装飾兼用の結び部と、前記包装体に対する所望のリボン掛け状態を得る少なくとも一つの環状部分を有する形態の本体部が形成された
包装用リボン。
【請求項２】
前記本体部の自然長が、前記包装体の表面における前記リボン掛け状態で前記本体部が沿う経路の長さと同一に設定された
請求項１に記載の包装用リボン。
【請求項３】
プリントによる装飾部が形成された
請求項１または請求項２に記載の包装用リボン。
【考案の詳細な説明】
【技術分野】
【０００１】
この考案は、例えばギフトなどの包装体に用いられる包装用リボンに関し、より詳しくは、リボン掛け作業が簡易迅速に行えるような包装用リボンに関する。
【背景技術】
【０００２】
贈り物の包装にはリボンが好んで用いられており、それが果たす役割は大きい。
【０００３】
しかしながらリボンを掛ける作業は簡単ではない。リボンを包装体にぴったりと接触させた状態できれいに結ぶには熟練性が必要であるし、結ぶのが上手になっても作業にはある程度の時間がかかる。そのうえリボン包装にかかる時間は人によってばらつきがあり、その差も大きい。
【０００４】
このため、例えばバレンタインデーやホワイトデー、母の日、父の日、クリスマスなどのように、一定の期間に大量の商品を販売するギフトシーズンには、パートやアルバイトを雇って、リボン包装済みの商品を予め用意しておく必要があった。
【０００５】
また店頭でリボン包装をする場合には、時間をかけていたのでは顧客を待たせることになり、顧客を逃してしまうことにもなりかねないので、大型店では、ラッピング用のコーナを会計とは別の場所に設けているところもある。
【０００６】
小さな店舗ではそのようなことはできず、会計をしながらリボン包装に追われているのが現状である。急ぐあまりにリボン結びが上手にできなければやり直さなければならず、資材の無駄が生じる。その上、リボン結びをしたあとにはリボンの端部を切除するので、そのときにゴミが出る。このゴミを処理するという余分な作業も必要であった。
【０００７】
このような問題点があったので、下記特許文献１、２のような包装用リボンが提案されていた。これらいずれの包装用リボンも、ループ状をなすリボンの一部に、帯状のゴムからなる伸縮性を有した弾性部を備えた構成である。特許文献１の包装用リボンでは前記弾性部を隠蔽するために花形をなす装飾物を付している。特許文献２の包装用リボンでは、ループ状をなすリボンの一部であって前記弾性部以外の部分に蝶結びが形成されている。また掛け回し状態にあるときの長さ寸法が掛け回し前の長さ寸法よりも大きく設定され、弾性部の収縮力で包装用リボンが包装体に密着するように構成されている。
【０００８】
これらの包装用リボンでは、弾性部が伸びるのでリボン掛け作業が容易に行えるという効果があるとされている。
【先行技術文献】
【特許文献】
【０００９】
【特許文献１】実公平６−２４３７４号公報
【特許文献２】特開２００３−３４２８６１号公報
【考案の概要】
【考案が解決しようとする課題】
【００１０】
しかし、伸縮性を有する弾性部はループ状をなす包装用リボンの一部であるので、指を引っ掛けたり包装体の一部に引っ掛けたりして引っ張ったときに、引っ張り力を作用する複数点間に弾性部が均等に配置されていない限り、弾性部が伸びるときに包装用リボンの全体に偏りが生じ、包装用リボンがずれたり傾いたりする。
【００１１】
このため、包装用リボンを掛ける作業は輪ゴムを掛けるときのようにはゆかず、作業はしにくく、弾性部以外の部分が折れたりねじれたりすることがある。その上、伸縮する部分が一部であるので、包装用リボンを一度かけた後に、弾性部や蝶結びの位置を整える作業が不可欠であった。
【００１２】
また、特許文献２の包装用リボンでは、弾性部を包装体の底面に隠す必要があり、弾性部を設ける位置や掛け回し方が限定されていた。
【００１３】
さらに、包装用リボンの掛け回し状態にあるときの長さ寸法が掛け回し前の長さ寸法よりも大きく設定されているため、包装用リボンを包装体に掛け回すときには、掛け回し前の状態から伸ばす長さは長くなくてはならない。つまり、一部に設けられた弾性部の伸び率は高くなくてはならない。このため、前述したような掛け回し時の包装用リボンの偏りなどの不都合は甚だしい。そのうえ織りゴムで弾性部を構成した場合には、伸縮する糸が多数必要な関係上、必然的に弾性部の厚さは厚くなり、外観や触感もリボンとはかけ離れたものとなる。また分厚い弾性部はリボン包装をした包装体を置いたり積み重ねたりしたときの嵩張りの原因にもなる。
【００１４】
そこで、この考案は、外観良好なリボン包装が簡易迅速に行えるようにすることを主な目的とする。
【課題を解決するための手段】
【００１５】
そのための手段は、包装体に掛けられる帯状の包装用リボンであって、当該包装用リボンの全体が長手方向に伸縮性を有し、且つその伸び率が１．１倍〜１．４倍であり、長手方向の両端部が結び合わされて形成された装飾兼用の結び部と、前記包装体に対する所望のリボン掛け状態を得る少なくとも一つの環状部分を有する形態の本体部が形成された包装用リボンである。
【００１６】
前記「所望のリボン掛け状態」とは、例えば斜め掛けや十字掛け、Ｖ字掛けなどの所望の掛け方をしたときに本体部が包装体の表面にぴったりと接触する状態である。収縮力が作用した状態で接触する場合のほか作用しない状態で接触する場合も含む。
【００１７】
この構成では、本体部の全体が長手方向に伸縮するので、包装体に掛ける作業において伸ばしたときにどこでも同様に伸びる。このため、掛け回し作業で本体部に偏りが生じたり所望位置からずれたりすることは抑制される。つまり、包装用リボンの本体部の一部を包装体に対して引っ掛けるなどして所望のリボン掛け状態にすると、リボン包装が完了する。このとき本体部は収縮し、所望のリボン掛け状態でぴったりと包装体に接触する。結び部は、本体部の長さを一定に保つとともに、包装用リボンやこれを掛けた包装体を装飾する。
【００１８】
包装用リボンの伸び率を通常の帯状ゴムよりも低く設定し、１．４倍を上限として伸張を抑制しているので、張りのあるリボン掛け状態を得やすい。しかも包装用リボンの外観や触感を通常のリボンのようにすることができる上に、厚みを薄くすることもできる。またプリント柄からなる装飾部があっても、その装飾部の割れなどの損傷を防ぐことができる。
【００１９】
前記伸び率は１．１倍を下限とすることにより、立体形状の包装体に対する掛け回し作業の容易性を確保し、包装用リボンの損傷を防ぐことができる。
【００２０】
前記本体部の自然長は、前記包装体の表面における前記リボン掛け状態で前記本体部が沿う経路の長さと同一に設定されるとよい。本体部がこのような長さであると、包装体に掛け回すときには僅かに引っ張って離せばよく、所望のリボン掛け状態を得るために本体部を伸張する長さをより短くできる。またリボン掛け状態において本体部は包装体にぴったりと接触するので、伸縮性を有しないリボンを掛け回したときのようなフィット感のある外観が得られる。
【００２１】
当該包装用リボンは、プリントによる装飾部が形成されたものであるとよい。伸縮するにもかかわらず、装飾部が包装用リボンやこれを掛けた包装体を装飾する。
【考案の効果】
【００２２】
この考案によれば、包装用リボンの全体が伸縮性を有するので、包装体に対して掛ける作業中に偏りが生じたりずれたりすることはなく、包装体に対して包装用リボンを一度かけた後に整える作業を省略することができる。したがって、所望の状態に掛ける作業が輪ゴムを掛けるときの様に極めて容易に行えるとともに、整える作業を省略できるので作業は迅速に行える。
【００２３】
包装用リボンを掛ける作業が簡易迅速に行えるので、一時的な繁忙期でも、準備期間を短くできるうえに人員を削減することもでき、需要予測等の変化にも柔軟に対応できるなどの利点も有する。
【００２４】
また、前述のように行うリボン包装作業は、誰が行っても同様に行え、作業時間のばらつきも生じないほどの作業である。したがって、作業は画一的に行え、作業時間や仕上がり状態のばらつきを抑えて、リボン包装作業の平準化を図ることができる。
【図面の簡単な説明】
【００２５】
【図１】包装用リボンの斜視図。
【図２】図１の包装用リボンで包装した包装体の斜視図。
【図３】本体部の作用状態を示すイメージ図。
【図４】包装用リボンと包装体の斜視図。
【図５】包装用リボンの掛け方を示す斜視図。
【図６】他の例に係る包装用リボンと包装体の斜視図。
【図７】図６の包装用リボンで包装した包装体の平面図。
【考案を実施するための形態】
【００２６】
この考案を実施するための一形態を、以下図面を用いて説明する。  
図１は、帯状の包装用リボン１１の斜視図であり、この包装用リボン１１は、例えば図２に示したように直方体状の包装体５１に対して斜め掛けにして使用されるものである。
【００２７】
包装用リボン１１は適宜幅の１本の帯状織布を素材として、この帯状織布に結び部１２と本体部１３を形成して構成されている。
【００２８】
前記帯状織布は、全体が長手方向に伸縮する伸縮性を有する。この伸縮性は周知の帯状の織りゴムとは異なり、伸び率が低く抑えられている。伸び率は１．１倍〜１．４倍である。１．１倍よりも低いと包装体３１に対する掛け回し作業が困難となり、１．４倍よりも高いと収縮状態において外観上弛んだ部分ができたり、見た目や触った感じが通常のリボンとかけ離れたものとなったり、厚みが分厚くなったりする。
【００２９】
帯状織布の伸び率の設定は、カバーリング材に伸縮性の少ないフィラメント糸を用いたり、経糸の本数を減らしたり、カバーリングを多くすることで得られる。また帯状織布には、経糸と緯糸を有し、平織り状の周知のリボンのような外観と触感を有するものを使用する。帯状織布の厚みは薄いものが好ましく、糸の太さや本数で設定される。前述のフィラメント糸をカバーリング材に使用すると、光沢感を出すこともできる。
【００３０】
また、前記帯状織布の片面にはプリントによる装飾部１４が形成されている。装飾部１４の態様や形成位置は適宜設定される。
【００３１】
前記結び部１２は、帯状織布の両端部が結び合わされて形成された装飾兼用のもので、帯状織布を所定の長さにして、長手方向の両端部を所望の装飾性が得られるように結ぶと得られる。結び方は、図１、図２に示したような蝶結びのほか、ダブル長結びやリボン結び、ダブルリボン結びなど、適宜選択できる。結び部１２の形成に別体のリボン等（図示せず）を用いてもよい。
【００３２】
前記本体部１３は、包装体３１に対する所望のリボン掛け状態を得る少なくとも一つの環状部分１３ａを有する形状である。この例では図２に示したように斜め掛けするので、一つの環状部分１３ａを有している。つまり、一つの環状部分１３ａからなる本体部１３が包装体３１に斜め掛けされたときに、本体部１３の全体は包装体３１の表面に対してぴったりと接触する。
【００３３】
図３は、前記本体部１３の作用状態を示すイメージ図である。前述のように環状であり、素材としての帯状織布の全体が所定の低伸縮性を有するので、相対向する２箇所を引っ張ると、図３に仮想線で示したように伸縮する。内側の仮想線は伸び率を１．１倍とした場合の伸張状態で、外側の仮想線は伸び率を１．４倍とした場合の伸張状態である。
【００３４】
この本体部１３の長さＬ１（図４の一点鎖線参照）は、所望のリボン掛け状態において収縮力が作用した状態で接触するする長さであっても、収縮力が作用しない状態で接触する長さであってもよい。つまり、本体部１３の自然長が、包装体３１の表面におけるリボン掛け状態で本体部１３が沿う経路の長さＬ２よりも若干短く設定されても、その長さと同じに設定されていてもよいが、好ましくは、本体部１３の自然長が、包装体３１の表面におけるリボン掛け状態で本体部１３が沿う経路の長さと同一に設定されるとよい。所望のリボン掛け状態を得るために本体部１３を伸張する長さをより短くできる上に、リボン掛け状態において、伸縮性を有しない通常のリボンを掛け回したときのようなフィット感を得られるからである。
【００３５】
このような本体部１３は、リボン包装の対象となる包装体３１と同じ大きさの箱状体や、その包装体３１の表面におけるリボン掛け状態で本体部１３が沿う経路の長さと同じ長さの部分を有する板状体等に対して、前記帯状織布を掛け回してその両端部を結び合わせて前記結び部を形成すると得られる。本体部１３の自然長Ｌ１を、包装体３１の表面におけるリボン掛け状態で本体部１３が沿う経路の長さＬ２よりも短くする場合には、前記箱状体や板状体に小さめのものを使用すればよい。
【００３６】
このような構成の包装用リボン１１は、リボン包装を行う包装体３１や掛け方（掛け回し形態）、結び方に応じて予め用意される。
【００３７】
そして、使用に際しては例えば、図５に示したように、包装用リボン１１の結び部１２の裏側面を直方体状の包装体３１における結び部１２を置く所望の位置３２（上面の一方の角部分）に当てて押さえながら、本体部１３の反対側の端（引っ張った端部１６）を引っ張って、この引っ張った端部１６を、本体部１３がねじれないように注意しながら、結び部１２を置いた位置３２の反対側の角３３（上面の他方の角部分）に引っ掛ける。引っ張った端部１６を離せば本体部１３はその収縮力によって縮み、その引っ張った端部１６が包装体３１の角３３に自動的に引っ掛かる。
【００３８】
このとき、前述のように本体部１３は全体が均等に伸縮するので、本体部１３を伸張させたときに偏りが生じることはなく、前述のように包装用リボン１１を掛け回したときに、所望の位置からずれることはなく、所望のリボン掛け状態が一度で得られ、リボン包装が完了する。
【００３９】
このようにリボン包装をした状態では、本体部１３は収縮し、所望のリボン掛け状態でぴったりと包装体３１に接触する。そして結び部１２は、結び部１２の結び形態によって、前記装飾部１４とともに包装体３１を装飾する。
【００４０】
前述の掛け回し作業に際しては、包装用リボン１１の伸び率が通常の帯状ゴムよりも低く、伸張が抑制されているとともに、本体部１３の自然長Ｌ１は、包装体３１の表面におけるリボン掛け状態で本体部１３が沿う経路の長さＬ２と同一に設定されているので、前述のように本体部１３を僅かに引っ張って離せばよく、所望のリボン掛け状態を得るために本体部１３を伸張する長さをより短くできる。またリボン掛け状態において本体部１３は包装体３１にぴったりと接触するので、伸縮性を有しないリボンを掛け回したときのようなフィット感のある張りのある外観が得られる。
【００４１】
そのうえ前述のように、所望のリボン掛け状態が一度で得られるので、包装用リボン１１を包装体３１に掛けた後で手直しする作業を省略できる。つまり、リボン包装が輪ゴムを掛けるときの様に極めて容易に行えるとともに、整える作業を省略できるので作業は迅速に行える。
【００４２】
このため、一時的な繁忙期でも、準備期間を短くできるうえに人員を削減することもでき、需要予測等の変化にも柔軟に対応できるなどの利点も有する。
【００４３】
また、前述のように行うリボン包装作業は、誰が行っても同様に行え、作業時間のばらつきもない作業である。したがって、作業は画一的に行え、作業時間や仕上がり状態のばらつきを抑えて、リボン包装作業の平準化を図ることができる。
【００４４】
しかも、包装用リボン１１の伸び率が低いため、外観や触感を通常のリボンのようにすることができ、包装体３１に掛け回したときにはリボンらしい美麗な状態が得られる。また包装用リボン１１の伸び率が低いことから、プリント柄からなる装飾部１４が割れたりして損傷することを防げる。
【００４５】
また包装用リボン１１の厚みが薄いため、包装体３１を置いたり重ねたりしたときに見劣りすることはなく、嵩張ることもない。
【００４６】
加えて、本体部１３の長さを一定に保つのは結び部１２であり、その他の部材を必要としないので、部品点数を低減し、コストも抑えることができる。したがって、前述のように有用な包装用リボンを安価に提供できる。
【００４７】
以下、他の例について説明する。この説明において先の構成と同一又は同等の部位については同一の符号を付してその詳しい説明を省略する。
【００４８】
図６は他の例に係る包装用リボン１１の斜視図であり、この包装用リボン１１は、包装体３１に対して十字掛けできるように構成されたものである。すなわち、本体部１３が２つの環状部分１３ａを有する。これらの環状部分１３ａは、図７に示したように包装体３１の縦横にそれぞれ掛け回された状態となる。図示例の包装体３１はたてよこ同程度の寸法の直方体状であるので、２つの環状部分１３ａは同程度の長さで、一方の環状部分１３ａは結び部１２内を通っている。
【００４９】
このように構成された包装用リボン１１は、本体部１３の２つの環状部分１３ａ間を広げて、各環状部分１３ａがそれぞれ包装体３１の所定の部位に位置するように、本体部１３を適宜伸ばして変形させ、リボン掛け状態（十字掛け状態）にする。
【００５０】
この包装用リボン１１でも前述と同様の効果が得られる。
【００５１】
以上の構成はこの考案を実施するための一形態であって、この発明は前述の構成のみに限定されるものではなく、その他の構成を採用することもできる。  
例えば、本体部１３の長手方向の中間部に装飾のための結び目を作ったり、本体部や結び部にカーリングリボン等の適宜の装飾部材やメッセージカードを取り付けたりすることもできる。
【００５２】
また装飾部１４を省略してもよく、装飾のための構成は織りや編みによって形成してもよい。
【符号の説明】
【００５３】
１１…包装用リボン
１２…結び部
１３…本体部
１３ａ…環状部分
１４…装飾部
３１…包装体
【図１】
0003175994.tif 000003
【図２】
0003175994.tif 000004
【図３】
0003175994.tif 000005
【図４】
0003175994.tif 000006
【図５】
0003175994.tif 000007
【図６】
0003175994.tif 000008
【図７】
0003175994.tif 000009